(57)【特許請求の範囲】
【請求項１】
平板状の天板及び前記天板を支持する脚部を有する座卓部と、前記座卓部を収納可能な収納部と、を備える堀座卓ユニットであって、
前記収納部は、底部と、前記底部の周縁から立ち上がる周壁部と、前記周壁部の上端に形成された開口を塞ぐ平板状の蓋板と、を備え、
前記蓋板の裏面には、前記脚部を取り付ける脚部取付部と、熱源を取り付ける熱源取付部と、が形成されていることを特徴とする堀座卓ユニット。
【請求項２】
前記天板又は前記蓋板の側面の少なくとも一部に、当該側面から内側に窪む凹部が形成されることを特徴とする請求項１に記載の堀座卓ユニット。
【請求項３】
前記蓋板が前記開口を塞ぐ場合に前記蓋板の表面に重ね合わせられる床材をさらに備え、前記床材は畳又は床板により形成されることを特徴とする請求項１又は２に記載の堀座卓ユニット。
【請求項４】
前記周壁部には、前記底部の底面から少なくとも前記天板の厚さ又は前記蓋板の厚さよりも大きな高さまで延在する凹状のポケットが形成されることを特徴とする請求項１〜３のいずれか１項に記載の堀座卓ユニット。
【発明の詳細な説明】
【技術分野】
【０００１】
本発明は、堀座卓や掘炬燵を構成することが可能な堀座卓ユニットに関する。
【背景技術】
【０００２】
特許文献１に記載の従来の掘炬燵では、炉箱の開口を塞ぐ蓋板として簀の子が用いられている。こうした簀の子は、掘炬燵を使用していない場合には必要ないため、押し入れ等に収納して保管されることが一般的である。この簀の子は嵩張るので、収納場所の確保が困難である一方で、簀の子は押し入れの奥の方にしまい込まれることが多く、いざ使用する際に取り出しに手間取ってしまう。こうした課題を解決すべく、特許文献１には、座卓の天板の裏面に形成された収納空間に簀の子を収納する構成が開示されている。
【先行技術文献】
【特許文献】
【０００３】
【特許文献１】特開平７−１１３５２２号公報
【発明の概要】
【発明が解決しようとする課題】
【０００４】
特許文献１に開示された構成によれば、天板の下方の収納空間に簀の子を配置しているので、炉箱内に脚を入れる間隔が、簀の子の収納空間の分だけ狭められてしまう。その結果、着座者が簀の子に脚が当たらないように炉箱内に脚を入れたり炉箱内から脚を出したりすることが煩わしいという問題がある。さらに、天板の裏面に取り付けられた保持具によって簀の子が保持されているだけなので、簀の子に脚が当たると、簀の子が天板に接触してガタガタと音が出てしまい、着座者に不快な思いをさせてしまう。
【０００５】
特に、着座者の使い勝手を考慮すると、一般的に、天板の上面の高さは床面から例えば３０ｃｍ程度であることが好ましい。しかしながら、天板の下方に簀の子を収納した時、天板の厚さ、簀の子の厚さ、天板と簀の子との隙間等を差し引くと、着座者の太腿から収納された簀の子の下面まで例えば１０ｃｍ程度の余裕しかなくなってしまう。着座者が座布団を利用する場合にはさらにその余裕は減ることになる。また、着座者が体をひねった際に着座者の腰が簀の子に当たったりする。
【０００６】
本発明は、上記課題に鑑みてなされたものであって、蓋板の収納空間を確保しつつ着座者の脚の出し入れを容易にする堀座卓ユニットを提供することを目的とする。
【課題を解決するための手段】
【０００７】
上記目的を達成するため、本発明によれば、
平板状の天板及び前記天板を支持する脚部を有する座卓部と、前記座卓部を収納可能な収納部と、を備える堀座卓ユニットであって、
前記収納部は、底部と、前記底部の周縁から直立して、前記底部の表面に前記天板の輪郭と同一の輪郭を有する底面を形成する周壁部と、前記周壁部の上端に形成されて前記天板の輪郭と同一の輪郭を有する開口を塞ぐ平板状の蓋板と、を備え、
前記周壁部には、前記底部の前記底面から少なくとも前記天板の厚さ又は前記蓋板の厚さよりも大きな高さまで延在する凹状のポケットが形成される堀座卓ユニットが提供される。
【０００８】
こうした堀座卓ユニットでは、非使用時、座卓部は収納部内に収納されており、収納部の開口は蓋板で塞がれている。その一方で、堀座卓としての使用時、座卓部は脚部で収納部上に支持される。このとき、収納部の開口を塞いでいた蓋板を収納部の底面上に収納することによって蓋板の収納空間を確保することができる。従って、天板から床面までの間に脚を入れる十分な空間を確保することができる。しかも、蓋板は、収納部の底面の輪郭と同一の輪郭を有しているので、蓋板は収納部の周壁部内にぴったりと収まる。その結果、収納部内で蓋板が移動することを防止することができ、着座者が蓋板上に脚を置いて脚を動かしても蓋板と周壁部との接触による音の発生を防止することができる。着座者は快適に堀座卓ユニットを使用することができる。
【０００９】
しかも、収納部の底面の輪郭と同一の輪郭を有する天板又は蓋板を収納部の底面上に収納することができる。ポケットは少なくとも天板又は蓋板の厚さよりも大きな高さを有しているので、周壁部のポケットに手を差し込むことによって、収納部の底面に配置された天板又は蓋板を容易に持ち上げることができる。しかも、本発明に係る堀座卓ユニットでは、前記天板又は前記蓋板の側面の少なくとも一部に、当該側面から内側に窪む凹部が形成されるので、凹部に指を引っ掛けることによって、指を引っ掛けた側とは反対側の側縁を支点にして天板又は蓋板を簡単に持ち上げることができる。また逆に、凹部に指を引っ掛けながら内に手を差し込むことによって、天板又は蓋板を容易に収納部内に収納することができる。
【００１０】
また、本発明に係る堀座卓ユニットは、前記蓋板が前記開口を塞ぐ場合に前記蓋板の表面に重ね合わせられる床材により形成される。前記床材は畳又は床板を含むことが好ましい。こうした堀座卓ユニットによれば、非使用時、周壁部の開口を塞ぐ蓋板の表面に床材が重ね合わせられるので、床材は、堀座卓ユニットが設置される居室の床面の一部として機能することができる。その一方で、堀座卓ユニットの使用時には底部の底面に床材を配置することによって蓋材の表面に床材を配置することができるので、蓋材上に脚を乗せることがなく衛生的である。こうした床材は、堀座卓ユニットが設置される居室の床材と同一の材料から形成されることが好ましい。また、床材は、前記天板の輪郭と同一の輪郭を有することが好ましい。
【００１１】
本発明に係る堀座卓ユニットでは、前記蓋板の裏面には、前記脚部を取り付ける脚部取付部と、熱源を取り付ける熱源取付部と、が形成されていることが好ましい。こうした堀座卓ユニットでは、蓋板の脚部取付部に脚部を取り付ける一方で、蓋板の熱源取付部に熱源を取り付けることによって、蓋板で堀炬燵の座卓を構成することができる。この座卓に炬燵布団を掛けるとともに座卓上に天板を配置することによって、堀座卓ユニットを堀炬燵として使用することができる。
【発明の効果】
【００１２】
以上のように、本発明によれば、蓋板の収納空間を確保しつつ脚の出し入れの容易な堀座卓ユニットを提供することができる。
【図面の簡単な説明】
【００１３】
【図１】本発明の一実施形態に係る堀座卓ユニットの構造を概略的に示す斜視図である。
【図２】図１の２−２線に沿った断面図である。
【図３】収納箱から座卓部を取り外した状態を示す堀座卓ユニットの斜視図である。
【図４】框材を点線で示す収納箱の平面図である。
【図５】収納箱の底面から床材を持ち上げて取り出す場面を示す断面図である。
【図６】堀座卓ユニットを堀炬燵として組み立てた状態を示す断面図である。
【図７】堀座卓ユニットの非使用時の状態を示す断面図である。
【図８】一具体例に係る蓋板によって収納部の開口を塞いだ状態を示す斜視図である。
【図９】他の具体例に係る蓋板によって収納部の開口を塞いだ状態を示す斜視図である。
【図１０】図９の１０−１０線に沿った部分拡大断面図である。
【発明を実施するための形態】
【００１４】
以下、添付図面を参照しながら本発明の一実施形態について説明する。図１は、本発明の一実施形態に係る堀座卓ユニット１０の構造を概略的に示す斜視図である。この堀座卓ユニット１０は居室内の例えば小上がりＳＡの床面ＵＦに組み込まれる。ただし、堀座卓ユニット１０は、小上がりＳＡのない居室の床面に組み込まれてもよい。本発明に係る掘り座卓ユニット１０は、堀座卓としての使用に加えて、堀炬燵としても使用することが可能である。以下では、まず、堀座卓として堀座卓ユニット１０を使用する場合について説明する。
【００１５】
堀座卓ユニット１０は、座卓部２０と、座卓部２０の下方で小上がりＳＡの床下に配置される収納部３０と、を備えている。座卓部２０は、平板状の天板２１と、天板２１の裏面の四隅に取り付けられて天板２１を支持する４本の脚部２２と、を備えている。天板２１及び脚部２２は例えば木材から形成されている。脚部２２は、天板２１の裏面の各隅部に形成される脚部取付部（図示せず）によって天板２１に取り付けられている。脚部取付部は、例えば天板２１の裏面に埋め込まれた雌ねじであってよく、脚部２２の上端に取り付けられた雄ねじがこの雌ねじに噛み合う。天板２１は平面視で正方形の輪郭を有している。
【００１６】
図２は、図１の２−２線に沿った断面図である。図２を併せて参照すると、小上がりＳＡは、居室の本来の床面ＬＦ上に組み立てられた構造体から形成されており、この構造体は、複数本の床束ＦＰやこれら複数本の床束ＦＰ上に渡された大引きＬＧ、これら大引きＬＧ上に配置された下地板としての床板ＦＰなどから構成されている。床板ＦＰは例えば合板から形成される。床板ＦＰ上には床材として畳材ＴＭが配置されている。畳材ＴＭの表面で前述の床面ＵＦが規定される。
【００１７】
堀座卓ユニット１０の収納部３０は収納箱３１を備えている。収納箱３１は、底部３２と、底部３２の周縁部から直立する４つの周壁部３３と、を備えている。底部３２は平面視で正方形の輪郭を有しており、底部３２と４つの周壁部３３とで直方体の収納空間が形成される。底部３２及び周壁部３３は例えば木材から形成されている。周壁部３３の上端で収納箱３１は開放した開口３４を有している。本実施形態では、収納箱３１は底部３２の底面で床面ＬＦに受け止められてよく、又は、底部３２と床面ＬＦの間に例えばパッキン等の緩衝部材ＳＭが挟み込まれてもよい。
【００１８】
底部３２の表面には４つの周壁部３３に囲まれた底面３５が形成される。開口３４及び底面３５は平面視で前述の天板２１と同一の輪郭又は天板２１よりもわずかに大きい輪郭を有している。収納箱３１の収納空間には、収納箱３１の開口３４を塞ぐ蓋板３６と、蓋板３６上に重ね合わせられる床材４１と、が収納されている。これらの蓋板３６及び床材４１は堀座卓ユニット１０の非使用時に使用される。非使用時の説明は後述する。蓋板３６は例えば木材から形成されており、床材４１は前述の畳材ＴＭと同一の畳材から形成されている。底面３５には、当該床面３５側から蓋板３６及び床材４１の順番で重ねられる。
【００１９】
蓋板３６は、平面視で前述の天板２１と同一の輪郭を有している。また、床材４１は天板２１よりもわずかに小さい輪郭を有している。その結果、蓋板３６及び床材４１が収納箱３１の底面３５上に配置されると、蓋板３６及び床材４１は収納空間にぴったりと収まる。言い替えれば、これら蓋板３６及び床材４１が収納箱３１に収納された状態では、床面ＵＦと平行な方向における蓋板３６及び床材４１の移動は規制される。こうした構成によれば、座卓部２０を床面ＵＦ上に組み上げた着座者が床材４１上に脚を置いて脚を動かしても、蓋板３６や床材４１は移動しないので、蓋板３６や床材４１と収納箱３１の周壁部３３との間の接触による音の発生を防止することができる。
【００２０】
４つの周壁部３３の少なくともいずれか１つの内向き面には、底面３５の周縁から周壁部３３の上端に向かって凹状のポケット３７が形成される。ポケット３７は、収納箱３１の底面３５から床材４１や蓋板３６を持ち上げるために使用者が手を挿入するために使用される。底面３５からのポケット３７の高さは、床材４１と蓋板３６とを重ねた状態の床材４１及び蓋板３６の総厚さよりも大きな高さに設定される。この総厚さは天板２１の厚さよりも大きい。ポケット３７の奥行きや幅については一般的な着座者の手の大きさに合わせて設定される。
【００２１】
図１及び図２から明らかなように、天板２１の表面及び裏面を接続する４つの側面には、当該側面から内側に窪む凹部２１ａが形成されている。ここでは、脚部２２が取り付けられる天板２１の隅部を除くすべての側面に凹部２１ａが形成される。本実施形態では、凹部２１ａは、天板２１の側面において裏面側の角を切り欠いた切り欠きから形成されており、切り欠きは、天板２１の表面側の一端から裏面側の他端に向かうにつれて天板２１の側面から遠ざかる形状に形成されている。図１から明らかなように、凹部２１ａは、天板２１の四隅の側面を除く側面に形成されている。なお、蓋板３６の側面及び床材４１の側面にも同様の形状を有する凹部３６ａ及び凹部４１ａがそれぞれ形成されている。
【００２２】
図２に示すように、例えばポケット３７が形成された周壁部３３に対向する周壁部３３には収納室３８が形成される。収納室３８内には、例えば堀炬燵として堀座卓ユニット１０を使用する際の熱源すなわちヒータ５１が収容されている。ヒータ５１は、蓋板３６の裏面に形成された熱源取付部（図示せず）に取り付けられることが可能である。周壁部３３の内向き面に沿った収納室３８の開口には扉部材３９が配置されており、収納室３８内の露出を防止している。扉部材３９は例えば引き戸から構成されてよい。堀炬燵としての使用時の説明は後述する。
【００２３】
図３は、収納箱３１から座卓部２０を取り外した状態の堀座卓ユニット１０の斜視図である。図１〜図３を併せて参照すると、周壁部３３の上端に隣接して周壁部３３の内向き面には枠体４２が配置される。図３から明らかなように、枠体４２は、相互に対向する１対の周壁部３３、３３に沿って配置される長尺の框材４３ａ、４３ａと、相互に対向するもう１対の周壁部３３、３３に沿って配置される短尺の框材４３ｂ、４３ｂと、を備えている。框材４３は例えば木材から形成されている。框材４３ａは開口３４の一辺と同一の長さを有する一方で、框材４３ｂは１対の框材４３ａ、４３ａの間で開口３４の一辺から一対の框材４３ａの幅分を差し引いた長さで延びる。
【００２４】
框材４３の上面は、畳材ＴＭの表面すなわち床面ＵＦと同一の平面に沿って広がる。畳材ＴＭに隣接する各框材４３の上面の周縁部には切り欠き４８が形成されている。框材４８の上面からの切り欠き４８の深さは畳材ＴＭの厚さに等しく設定されており、その結果、畳材ＴＭの側縁は切り欠き４８内まで進入することができる。こうして畳材ＴＭの側縁が切り欠き４８内に収まることによって、畳材ＴＭが収納箱３１の周壁部３３と框材４３との間の隙間に覆い被さるため、堀炬燵ユニット１０の見映えを向上させることができる。
【００２５】
座卓部２０の４本の脚部２２はすべて框材４３ａ、４３ａ上に配置される。各框材４３ａには、框材４３ａの長手方向の両端に隣接して框材４３ａの上面から円柱状に突出する１対のだぼ４４、４４が形成されている。各脚部２２の下端面に形成された円柱状のだぼ穴（図示せず）に框材４３ａのだぼ４４が差し込まれることによって框材４３ａ、４３ａ上に座卓部２０が配置される。だぼ４４及びだぼ穴の働きによって框材４３ａ、４３ａ上で座卓部２０の移動が規制されるので、収納箱３１上の所定の位置に座卓部２０を確実に固定することができる。
【００２６】
図４は、枠体４２を点線で示す収納部３０の平面図である。図２及び図４を併せて参照すると、框材４３ａ、４３ａは、周壁部３３、３３に取り付けられた短尺のアングル４５ａ、４５ａ上にそれぞれ取り付けられる。その一方で、框材４３ｂ、４３ｂは、アングル４５ａよりも長い長尺のアングル４５ｂ、４５ｂ上に取り付けられる。さらに、框材４３ａ、４３ａの両端は、短尺のアングル４５ａ、４５ａ上にも取り付けられる。アングル４５は例えば金属から形成されている。框材４３のアングル４５への取り付けや周壁部３３へのアングル４５の取り付けにあたって例えば蝶ボルト４６が使用される。
【００２７】
次に、堀座卓ユニット１０を堀炬燵として使用する場合について説明する。堀炬燵として使用するにあたって、上述の状態において収納部３０から座卓部２０を取り外し、取り外した座卓部２０を分解する。分解にあたって天板２１からすべての脚部２２を取り外す。その一方で、収納部３０では、アングル４５から框材４３を取り外し、周壁部３３からすべてのアングル４５を取り外す。こうして分解して個々の部品となった天板２１や脚部２２、框材４３、アングル４５は収納部３０の外側に一時的に置いておかれる。
【００２８】
その後、収納部３０では、収納箱３１から床材４１及び蓋板３６を取り出す。取り出しにあたって、図５に示すように、ポケット３７に手を挿入して蓋板３６の凹部３６ａに指先を掛ける。蓋板３６の他端の側縁を支点にして蓋板３６及び床材４１を持ち上げて、蓋板３６及び床材４１を同時に収納箱３１から取り出す。また、ポケット３７に手を挿入して床材４１の凹部４１ａに指先を掛けてまず床材４１のみを持ち上げて収納箱３１から取り出し、その後に蓋板３６を同様に取り出してもよい。その一方で、収納室３８からヒータ５１を取り出し、収納箱３１内に床材４１のみ戻す。このときも、床材４１の凹部４１ａに指先を掛けたまま、ポケット３７に手を挿入することによって床材４１を底面３５上に配置する。
【００２９】
その後、蓋板３６の裏面の四隅に形成された脚部取付部（図示せず）に脚部２２を取り付けて蓋板３６に脚部２２を固定して第２の座卓部２０’を組み立てる。脚部取付部は、天板２１の脚部取付部の構造と同様に形成される。同時に、蓋板３６の裏面に形成された熱源取付部にヒータ５１を取り付ける。その一方で、収納部３０では、周壁部３３にそれぞれ対応のアングル４５を取り付け、そのアングル４５にそれぞれ対応の框材４３を取り付ける。これら框材４３で形成された枠体４１上に座卓部２０’を配置する。
【００３０】
図６に示すように、こうして組み立てた座卓部２０’上に炬燵布団５２を掛け、座卓部２０’の蓋板３６上で炬燵布団５２上に天板２１を配置する。こうして堀座卓ユニット１０を堀炬燵として使用することができる。なお、堀炬燵としての使用時、堀座卓としての使用時に比べて床面ＵＦから天板２１の高さが蓋板３６及び炬燵布団の総厚さの分だけ大きくなるため、この総厚さの分だけ脚部２２よりも短くした第２の脚部（図示せず）を使用してもよい。この第２の脚部は、堀座卓としての使用時には収納室３８内に収納しておけばよい。
【００３１】
次に、堀座卓ユニット１０を使用しない場合について説明する。上述の状態において座卓部２０’上から天板２１及び炬燵布団５２を取り除いた後、収納部３０から座卓部２０’を取り外す。蓋板３６から脚部２２を取り外して座卓部２０’を分解する。このとき、ヒータ５１は蓋板３６に取り付けたままの状態でよい。また、アングル４５から框材４３を取り外し、周壁部３３からアングル４５を取り外す。収納部３０では、収納箱３１から床材４１を取り出す一方で、収納箱３１内に天板２１を収納する。
【００３２】
その後、図７に示すように、収納箱３１内に脚部２２や框材４３を収納する。脚２２や框材４３は天板２１上にそれぞれ並べられてよい。収納部３０では、収納箱３１の開口３４を蓋板３６で塞ぐ。蓋板３６はアングル４５上に配置される。図８に示すように、蓋板３６には、蓋板３６の表面から裏面まで貫通する１対の長孔３６ｂが形成されてもよい。使用者は、これらの長孔３６ｂに手を差し込むことによって蓋板３６を容易に取り外したり取り付けたりすることができる。続いて、蓋板３６上に床材４１を配置することによって、堀座卓ユニット１０を床下に完全に収納することができる。なお、収納箱３１の収納空間内には炬燵布団５２をさらに収納してもよい。
【００３３】
次に、堀座卓ユニット１０の非使用時から堀炬燵として使用する場合について説明する。まず、床材４１及び蓋板３６を取り外し、取り外した蓋板３６の裏面に脚部２２を取り付ける。収納部３０では、アングル４４をいったん取り外して収納箱３１の底面３５から天板２１を取り出す。天板２１の側面には凹部２１ａが形成されているので、使用者はポケット３７に手を差し込んで凹部２１ａに指を引っ掛けることによって天板２１を持ち上げる。その後、収納箱３１の底面３５に床材４１を配置する。周壁部２２の対応の箇所にアングル４４を取り付け、対応のアングル４４にそれぞれ框材４３を取り付ける。
【００３４】
以上のような堀座卓ユニット１０によれば、堀座卓及び堀炬燵としての使用時、収納箱３１の底面３５に床材４１や蓋板３６を収納することによって、天板２１や蓋板３６から床面ＵＦまでの間に着座者の脚を入れる十分な空間を確保することができるので、着座者は脚の出し入れを容易に行うことができる。また、床材４１や蓋板３６は底面３５と同一の輪郭を有するので、収納箱３１内で床材４１や蓋板３６が床面ＵＦに沿って移動することを防止することができる。その結果、使用者が床材４１上に脚を置いて脚を動かしても床材４１や蓋板３６と周壁部３３との接触による音の発生を防止することができる。使用者は快適に堀座卓ユニット１０を使用することができる。
【００３５】
しかも、堀座卓や堀炬燵として使用するために堀座卓ユニット１０を組み立てる際、使用者はポケット３７に手を差し込むことによって天板２１を持ち上げることができる。また、使用者は、天板２１の側面の凹部２１ａに指を引っ掛けることによって、指を引っ掛けた側とは反対側の側縁を支点にして天板２１を簡単に持ち上げることができる。また逆に、使用者は凹部２１ａに指を引っ掛けながらポケット３７内に手を差し込むことによって、安全にかつ静かに天板２１を収納箱３１内に収納することができる。しかも、凹部２１ａは天板２１の４つの側面すべてに形成されているので、収納箱３１の底面３５上で天板２１をどの向きに配置しても、凹部２１ａは必ずポケット３７に対向することができる。なお、蓋板３６及び床材４１の凹部３６ａ、４１ａについても同様の作用効果を実現することができる。
【００３６】
また、堀座卓ユニット１０の非使用時、収納箱３１の開口３４を塞ぐ蓋板３６上に、床面ＵＦを形成する床材と同一の素材の床材４１を配置することによって、堀座卓ユニット１０の周囲の床材と同様に仕上げられるので、居室の床面ＵＦの一部として機能することができる。その一方で、堀座卓や堀炬燵の使用時には収納箱３１の底面３５に床材４１を配置することによって、床材４１は、周囲の床材と同様の仕上がりの脚置きとして機能することができる。従って、堀座卓ユニット１０の見映えを飛躍的に向上させることができる。またさらに、堀座卓としての使用時、蓋材３６上に床材４１を配置しており、蓋材３６上に脚を乗せることがないので、衛生的である。
【００３７】
以上のような堀座卓ユニット１０では、床材４１及び蓋板３６を合板として一体化してもよい。この場合、堀座卓としての使用時には、床材４１及び蓋板３６の合板を収納箱３１に収納するだけでよいので、堀座卓ユニット１０の組み立て作業や分解作業を簡略化することができる。また、非使用時には、床材４１及び蓋板３６の合板を収納箱３１の開口３４に配置するだけでよいので、同様に堀座卓ユニット１０の組み立て作業や分解作業を簡略化することができる。また、床材４１は、居室の床材に合わせて変更されてもよい。
【００３８】
その他、上述の実施形態では、天板２１の側面の凹部２１ａは、天板２１の四隅の側面を除く側面に形成されているものの、この構成に代えて、凹部２１ａは、天板２１を収納箱３１の底面３５に配置した場合に、ポケット３７に対応する位置のみに形成されてもよい。また、上述の実施形態では、凹部２１ａは天板２１の４つのすべての側面に形成されているものの、この構成に代えて、凹部２１ａは天板２１の１つの側面のみに形成されてもよい。またさらに、凹部２１ａの形状は前述の切り欠きの形状である必要はなく、使用者の指が引っ掛けられる程度の窪みであればよい。また、蓋板３６の凹部３６ａ及び床板４１の凹部４１ａも、天板２１の凹部２１ａと同様に構成されてよい。また、天板２１、底面３５、蓋板３６及び床材４１は、平面視でほぼ同一の輪郭を有する限り、正方形に代えて長方形などの輪郭を有してもよい。
【００３９】
以上のような堀座卓ユニット１０では、図９に示すように、蓋板３６には、前述の長孔３６ｂに代えて、一対の取っ手６１、６１が組み込まれてもよい。図１０を併せて参照すると、取っ手６１は、蓋板３６に形成された窪み６２内に収納されており、この収納状態では取っ手６１の上面は蓋板３６の表面と同一の平面内に配置される。取っ手６１は、蓋板３６の表面に平行な揺動軸６３回りで揺動自在に窪み６２内に配置されている。取っ手６１は、揺動軸６３から取っ手６１の先端に向かって延びる先端部６１ａと、揺動軸６３から取っ手６１の基端に向かって延びる基端部６１ｂと、を備えている。取っ手６１は、窪み６２内に収納された収納位置から揺動軸６３回りに９０度の角度にわたって揺動することができ、９０度を超える揺動が規制されるように構成されている。
【００４０】
こうした蓋板３６によれば、収納箱３１の開口３４を塞ぐ蓋板３６を取り外す際、基端６１ｂを窪み６２内に押し込むことによって、点線で示すように回転軸６３回りに取っ手６１を揺動させることによって、窪み６２から外側に取っ手６１の先端部６１ａを取り出すことができる。その結果、取り出した一対の取っ手６１を持つことによって容易に蓋板３６を持ち上げることができる。しかも、取っ手６１は蓋板３６の表面に沿って広がるので、蓋板３６の表面に床材４１が重ねられる場合に床材４１の荷重を蓋板３６の表面全面で支持することができ、床材４１の撓みなどの変形や変形による床材４１の損傷を防止することができる。
【符号の説明】
【００４１】
１０    堀座卓ユニット
２０    座卓部
２１    天板
２１ａ  凹部
２２    脚部
３０    収納部
３２    底部
３３    周壁部
３４    開口
３５    底面
３６    蓋板
３６ａ  凹部
３７    ポケット
４１    床材
４１ａ  凹部
５１    熱源
【図１】
0005996263.tif 000002
【図２】
0005996263.tif 000003
【図３】
0005996263.tif 000004
【図４】
0005996263.tif 000005
【図５】
0005996263.tif 000006
【図６】
0005996263.tif 000007
【図７】
0005996263.tif 000008
【図８】
0005996263.tif 000009
【図９】
0005996263.tif 000010
【図１０】
0005996263.tif 000011